(57)【要約】【課題】センター側での操作や専用の機器を用いた操作なく第３者によって簡単にリセットされることなく、リセットされた時間からのガス器具別の積算量を得るガスメータを提供する。【解決手段】ガスメータ１は、ガス器具別の流量の積算値を記憶部１６に記憶し、複数のスイッチ１１〜１３に割り当てられた処理の１つとして、器具別積算値表示操作時にその器具別積算値を表示部１０に表示し、スイッチ１１〜１３にそれぞれ割り当てられた処理を無効化する。無効化された状態でスイッチ１１〜１３を用いた第１の所定操作を受け付けたときに、表示部１０での表示対象となるガス器具の器具別積算値を切り替える。無効化された状態で、スイッチ１１〜１３を用いた第２の所定操作（順序が規定されたスイッチ１１〜１３による一連の操作）を受け付けたときに、表示部１０で無効化後表示された又は現在表示中の記憶部１６内の器具別積算値をリセットし無効化を解除する。【選択図】図１
2009229111.tif 000002
【特許請求の範囲】
【請求項１】
異なる処理を実行させるためにそれぞれ割り当てられた複数のスイッチと、ガスの流量を計測する計測手段と、該計測手段にて計測した流量を積算する積算手段と、該積算手段で積算された積算値を記憶する記憶部と、前記記憶部に記憶された積算値を表示する表示部とを備えたガスメータにおいて、
前記積算手段は、ガス器具別に流量を積算し、該積算された器具別積算値を前記記憶部に記憶する器具別積算手段を有し、
当該ガスメータは、前記複数のスイッチに割り当てられた処理の１つとして、器具別積算値表示操作を受け付けたときに、前記記憶部に記憶された器具別積算値を前記表示部に表示する制御を行う器具別表示制御手段と、
該器具別表示制御手段で器具別積算値の表示制御がなされたときに、前記複数のスイッチにそれぞれ割り当てられた処理を無効化する無効化手段と、
該無効化手段で無効化された状態で、前記複数のスイッチを用いた第１の所定操作を受け付けたときに、前記表示部での表示対象となるガス器具の器具別積算値を、ガス器具の間で切り替える切替表示制御手段と、
前記無効化手段で無効化された状態で、前記複数のスイッチを用いた第２の所定操作を受け付けたときに、前記記憶部に記憶され前記表示部で現在表示されている器具別積算値又は前記記憶部に記憶された器具別積算値のうち前記無効化がなされてから前記表示部で表示された全ての器具別積算値を、リセットすると共に、前記無効化手段での無効化を解除するリセット実行手段とを備え、
前記第２の所定操作は、順序が規定された前記複数のスイッチによる一連の操作であることを特徴とするガスメータ。
【請求項２】
前記リセット実行手段は、前記無効化手段で無効化された状態で前記第２の所定操作を受け付けたときに、前記リセットの要否を確認するための前記複数のスイッチによる追加操作を、前記表示部での表示により要求し、該要求した追加操作を受け付け、該受け付けた追加操作が第３の所定操作と一致した場合に前記リセットが必要であると判定して前記リセットを実行し、前記無効化手段での無効化を解除することを特徴とする請求項１に記載のガスメータ。
【請求項３】
前記第３の所定操作は、順序が規定された前記複数のスイッチによる一連の操作であり、前記第２の所定操作とは異なる操作であることを特徴とする請求項２に記載のガスメータ。
【発明の詳細な説明】
【技術分野】
【０００１】
本発明は、ガス器具別の流量積算が可能なガスメータに関する。
【背景技術】
【０００２】
ガス販売業者は、サービスの一環として、使用するガス器具別に料金の割引設定などを行うことが可能なシステムを採用している。
【０００３】
このシステムには、ガス器具別の流量の積算が可能で、さらにその累積積算値を表示部に表示できるガスメータを用いている。このようなガスメータは、例えば特許文献１に開示されている。
【０００４】
しかしながら、特許文献１に記載のガスメータでは、各ガス器具別の累積積算値しか記憶・表示されない。そのため、検針員は、或るガス器具の一月の流量を求めるために、現在累積積算値から前回検針分の累積積算値を差分して算出する必要がある。
【０００５】
一方、特許文献２には、流体の流量を計数するカウンタと、ハンディターミナル等の設定器又はセンター側からの出力要求であってカウンタによる積算値の出力要求を検出する出力要求検出手段と、出力要求の検出に応じて、カウンタによる積算値を出力する積算値出力手段と、この積算値の出力に応じて、積算値を出力したカウンタに初期値を設定する初期値設定手段とを備えた流体計数装置が開示されている。ここで、前回の検針による出力要求の検出によって積算値をクリアできるため、月別のガス使用量を積算することができる。
【特許文献１】特開２００６−２３１６５号公報
【特許文献２】特開２００５−２４３６３号公報
【発明の開示】
【発明が解決しようとする課題】
【０００６】
しかしながら、特許文献２のように、検針員が月毎で積算値を確認できるように月毎に累積積算値をゼロにリセットする構成を採用したとしても、器具別の積算値をリセットする際にも、専用の機器（設定器）を用いたり、センター側で操作する必要があった。
【０００７】
本発明は、上述のごとき実状に鑑みてなされたものであり、センター側での操作や専用の機器を用いた操作を行うことなく且つ第３者によって簡単にリセットされることなく、リセットされた時間からのガス器具別の積算量を得ることが可能なガスメータを提供することを、その目的とする。
【課題を解決するための手段】
【０００８】
上述のごとき課題を解決するために、本発明の第１の技術手段は、異なる処理を実行させるためにそれぞれ割り当てられた複数のスイッチと、ガスの流量を計測する計測手段と、該計測手段にて計測した流量を積算する積算手段と、該積算手段で積算された積算値を記憶する記憶部と、前記記憶部に記憶された積算値を表示する表示部とを備えたガスメータにおいて、前記積算手段は、ガス器具別に流量を積算し、該積算された器具別積算値を前記記憶部に記憶する器具別積算手段を有し、当該ガスメータは、前記複数のスイッチに割り当てられた処理の１つとして、器具別積算値表示操作を受け付けたときに、前記記憶部に記憶された器具別積算値を前記表示部に表示する制御を行う器具別表示制御手段と、該器具別表示制御手段で器具別積算値の表示制御がなされたときに、前記複数のスイッチにそれぞれ割り当てられた処理を無効化する無効化手段と、該無効化手段で無効化された状態で、前記複数のスイッチを用いた第１の所定操作を受け付けたときに、前記表示部での表示対象となるガス器具の器具別積算値を、ガス器具の間で切り替える切替表示制御手段と、前記無効化手段で無効化された状態で、前記複数のスイッチを用いた第２の所定操作を受け付けたときに、前記記憶部に記憶され前記表示部で現在表示されている器具別積算値又は前記記憶部に記憶された器具別積算値のうち前記無効化がなされてから前記表示部で表示された全ての器具別積算値を、リセットすると共に、前記無効化手段での無効化を解除するリセット実行手段とを備え、前記第２の所定操作は、順序が規定された前記複数のスイッチによる一連の操作であることを特徴としたものである。
【０００９】
第２の技術手段は、第１の技術手段において、前記リセット実行手段は、前記無効化手段で無効化された状態で前記第２の所定操作を受け付けたときに、前記リセットの要否を確認するための前記複数のスイッチによる追加操作を、前記表示部での表示により要求し、該要求した追加操作を受け付け、該受け付けた追加操作が第３の所定操作と一致した場合に前記リセットが必要であると判定して前記リセットを実行し、前記無効化手段での無効化を解除することを特徴としたものである。
【００１０】
第３の技術手段は、第２の技術手段において、前記第３の所定操作は、順序が規定された前記複数のスイッチによる一連の操作であり、前記第２の所定操作とは異なる操作であることを特徴としたものである。
【発明の効果】
【００１１】
本発明によれば、ガスメータにおいて、センター側での操作や専用の機器を用いた操作を行うことなく且つ第３者によって簡単にリセットされることなく、リセットされた時間からのガス器具別の積算量を得ることが可能となる。
【発明を実施するための最良の形態】
【００１２】
図１は、本発明のガスメータの一構成例を示す図、図２は、図１のガスメータの本体表面の概略を示す図で、図中、１はガスメータである。以下、図１及び図２で例示するガスメータ１は、マイクロコンピュータ（マイコン）式ガスメータである。
【００１３】
図１で例示するガスメータ１は、一般的なマイコン式ガスメータと同様に、制御部１５、表示部１０、記憶部１６、電池、ガス流量を計測する流量センサ等でなる計測手段、ガス遮断弁、感震器、通信インターフェースなどを備え、マイコンでなる制御部１５でその全体が制御される。
【００１４】
制御部１５は、流量センサにて計測した流量を積算する積算手段を有する。表示部１０は、制御部１５にて積算した流量値（積算値）や、各種警報、ガス遮断状態などを表示する。記憶部１６は、積算値やガスメータ１における各種設定値を、必要に応じて制御部１５から読み出し可能に記憶する。表示部１０で積算値を表示する際にはこの記憶部１６から読み出して表示される。ガスメータ１は、電文設定器等の入力装置を接続することで、流量等の演算のための各種設定値などを制御部１５に取り込み、記憶部１６等に記憶することが可能となる。
【００１５】
また、ガスメータ１には、使用者が操作可能に１以上のスイッチが本体表面に設けられ、各スイッチの押下操作を検出し制御部１５へ出力する検出部１４も設けられている。図１及び図２の例では、スイッチをスイッチI（１１）、スイッチII（１２）、及びスイッチIII（１３）の３つ設けた例を示しているが、複数設置されていればよく、その配置も図２の例に限ったものではない。各スイッチは、それぞれが異なる処理を実行させるために割り当てられている。例えば、スイッチ１１〜１３は、それぞれ、流路の閉弁制御（テスト遮断制御）、流路の開弁制御（復帰制御）、ガス容器リセットを実行させるための実行スイッチとしてそれぞれ割り当てておく。但し、後述するように、スイッチ１１〜１３のいずれか１又は複数を用いた操作の１つとして、器具別積算値表示処理が割り当てられているものとする。
【００１６】
本発明の主たる特徴の１つとして、積算手段は、ガス器具別に流量を積算し、積算された器具別積算値を記憶部１６に記憶する器具別積算手段を有する。ガス器具としては、給湯器、ガスコンロ、ガスヒータ、ガス床暖房などが挙げられ、ガス器具に応じて、使用されるガス流量区分や他の情報（ガス流量の推移、使用時間、使用時間帯など）が異なることから、器具別積算量が算出できる。
【００１７】
さらに、本発明の主たる特徴として、ガスメータ１は、次の器具別表示制御手段、無効化手段、切替表示制御手段、及びリセット実行手段を備える。
【００１８】
器具別表示制御手段は、スイッチ１１〜１３に割り当てられた処理の１つとして、器具別積算値表示操作（器具別積算値を表示する処理に割り当てられたスイッチ１１〜１３のいずれか１又は複数を用いた操作）を受け付けたときに、記憶部１６に記憶された器具別積算値を表示部１０に表示する制御を行う。図１の構成例では、器具別表示制御手段は、スイッチ１１〜１３、検出部１４、制御部１５、及び記憶部１６によって実現している。ここで、制御部１５が、スイッチ１１〜１３から検出部１４を介して器具別積算値表示操作を受けたときに、記憶部１６から所定の器具に対する器具別積算値を読み出し、表示部１０を制御してそれを表示させる。
【００１９】
無効化手段は、器具別表示制御手段で器具別積算値の表示制御がなされたときに、スイッチ１１〜１３にそれぞれ割り当てられた処理を無効化する。図１の構成例では、無効化手段は、制御部１５によって実現している。
【００２０】
切替表示制御手段は、無効化手段で無効化された状態で、既存のスイッチ１１〜１３を用いた第１の所定操作を受け付けたときに、表示部１０での表示対象となるガス器具の器具別積算値を、ガス器具の間で切り替える。図１の構成例では、切替表示制御手段は、スイッチ１１〜１３、検出部１４、制御部１５、及び記憶部１６によって実現している。ここで、制御部１５が、スイッチ１１〜１３から検出部１４を介して第１の所定操作を受ける毎に、記憶部１６から次の器具に対する器具別積算値を読み出し、表示部１０を制御してそれを表示させる。
【００２１】
この第１の所定操作（切替操作）毎に積算値表示対象の器具を切り替えるが、切り替えにより選択される器具の順番は予め決めておけばよく、切り替えにより全ての器具が終わると最初（上記所定の器具）に戻ればよい。また、第１の所定操作は単なる表示の切り替え操作であるため、後述する第２，第３の所定操作より簡単な操作に決めておけばよい。
【００２２】
リセット実行手段は、無効化手段で無効化された状態で、既存のスイッチ１１〜１３を用いた第２の所定操作を受け付けたときに、記憶部１６に記憶され表示部１０で現在表示されている器具別積算値をリセットすると共に、無効化手段での無効化を解除する。ここで、第２の所定操作は、順序が規定されたスイッチ１１〜１３による一連の操作であるものとする。例えば、この第２の所定操作は、既存のスイッチ１１〜１３の押し時間、押す回数、同時押しの組合わせなどによって特定される操作である。つまり、第２の所定操作は、設けられたスイッチ１１〜１３による複数の操作であって、それを受け付けたか否かは、その複数の操作の手順（以下、第２所定操作パターンという）を記憶部１６に記憶させておき、それと照合することで判定できる。
【００２３】
また、リセットは、記憶部１６に記憶され表示部１０で現在表示されている器具別積算値のみを対象とするものとして説明したが、代わりに、第２の所定操作を受け付けたときに、記憶部１６に記憶された器具別積算値のうち無効化がなされてから表示部１０で表示された全ての器具別積算値を対象としてもよい。また、これらのうちいずれを対象にしてリセットするかも、スイッチ１１〜１３による操作の違いにより選択可能にしておいてもよい。
【００２４】
以上、本発明によれば、ガスメータにおいて、センター側での操作や専用の機器を用いた操作を行うことなく且つ第３者によって簡単にリセットされることなく、リセットされた時間からのガス器具別の積算量を得ることが可能となる。例えば、検針員が月毎の検針時に、一ヶ月分の積算値を計算することなく、電文設定器なども用いずに、ガスメータ本体表面に付いているスイッチを利用することで、簡単な操作でありながら第３者によって簡単にリセットされることなく、一ヶ月後に一ヶ月分の器具別積算量を読み出し視認することができる。
【００２５】
次に、上述のごときガスメータ１における器具別積算値リセット処理の一例について、実際に、特定ガス器具の一ヶ月分の積算値を読み出したのち、一ヶ月分の特定ガス器具の積算値が得られるようにリセットし、次月分の積算を引き続き開始するところまでの流れを、図３及び図４を参照しながら説明する。
【００２６】
図３は、図１及び図２で示したガスメータの表示部での器具別積算値の表示例を示す図、図４は、図１及び図２で示したガスメータにおける器具別積算値リセット処理の一例を説明するためのフロー図である。図３において、１０ａはアルファベット表示部、１０ｂは第２カウンタ部（積算値表示部）１０ｂである。アルファベット表示部１０ａは、各種警報、ガス遮断状態などをＡ，Ｂ，Ｃの記号の組み合わせで表示する領域である。第２カウンタ部１０ｂは、通常別途設けられている積算値を表示するためのカウンタとは異なり、例えば月別や流量区分別の積算値なども表示可能となっている表示領域である。
【００２７】
まず、制御部１５は、スイッチ１１〜１３から検出部１４を介して器具別積算値の表示操作を受けたときに（ステップＳ１でＹＥＳ）、器具別積算値を図３（Ａ）に例示するように表示部１０の第２（サブ）カウンタ部１０ｂに表示させる制御を行う（ステップＳ２）。この器具別積算値表示操作は、任意に割り当てられた操作であればよく、例えばスイッチ１１を押す操作や、スイッチ１１とスイッチ１２とを同時に押す操作などとしてよい。
【００２８】
次に、制御部１５は、スイッチ１１〜１３に本来対応する処理を無効化する（ステップＳ３）。つまり、もしステップＳ３の後でスイッチの押下操作があっても割り当てられた処理を実行しない。この無効化により、ステップＳ２の制御後からステップＳ１０までは、各スイッチ本来の役割は一切失うことになる。
【００２９】
制御部１５は、この無効化された状態で、スイッチ１１〜１３から検出部１４を介して表示対象のガス器具の切り替え操作（上記第１の所定操作）が行われたか否かを判定し（ステップＳ４）、行われた場合にはその操作に基づき表示対象のガス器具を切替表示させる（ステップＳ５）。第１の所定の操作は任意に決めておけばよく、例えばスイッチ１１を押す操作などとしてよい。
【００３０】
次に、制御部１５は、同じく無効化された状態で、スイッチ１１〜１３から検出部１４を介してリセット操作（上記第２の所定操作パターン）が行われるのを待つ（ステップＳ６）。ここでは、検針員が、上記特定ガス器具をサブカウンタ部１０ｂに表示させた状態でリセット操作を行ったものとして、以降の説明を行う。なお、ステップＳ４での操作待ちとステップＳ６での操作待ちは基本的に同時になされていることになる。また、ステップＳ６で所定時間待ってもＮＯであった場合、後述のステップＳ１０へ進んでもよい。
【００３１】
このリセット操作は、検針員がステップＳ２で又はステップＳ５で上記特定ガス器具の積算値を確認したのち、次月分検針のために行う上記特定ガス器具の積算値のリセット操作である。なお、実際には、図４で説明するこのリセット操作及びリセット処理は各ガス器具に対して検針員が器具別積算値表示後に行うことになり、図４では１つのガス器具に対してのみ説明しているに過ぎない。このリセット操作は、任意に決めた第２の所定操作パターンであればよく、例えばスイッチ１２とスイッチ１３とを同時に押す操作によって、或いはスイッチ１２を押した後にスイッチ１３を押す操作などによって、実現できる。但し、第２の所定操作は第１の所定操作とは区別させるために異なる操作としておく必要がある。さらに、検針員が一方の操作手順を行いたいにも拘わらず他方の操作手順を行ってしまうことを避けるために、他方の操作手順が一方の操作手順にそのまま含まれるように規定してはならない。
【００３２】
ステップＳ６でＹＥＳとなったときに、後述するステップＳ９の処理（リセット実行処理）に進んでもよいが、ここでは、より好ましい処理について説明する。ステップＳ６でＹＥＳの場合、制御部１５は、表示部１０を制御して、リセットの要否を確認するための追加操作を要求（実際には記憶部１６に記憶された第３の所定操作パターンを要求）するための追加操作入力要求の表示を行う（ステップＳ７）。このとき、追加操作入力要求状態にあることを、通常の状態と区別が付くように表示部１０に明示することが好ましい。例えば、図３（Ａ）のアルファベット表示部１０ａのアルファベットを左から順番に点灯していくことや、サブカウンタ部１０ｂを全て‘０’表示にし、さらに点滅させることなどが考えられる。
【００３３】
ステップＳ７の入力要求表示後、制御部１５は、所定期間（例えば５秒間）内に正しい追加操作を受け付けたか否かを判定し（ステップＳ８）、所定期間を経過しても正しい追加操作が受け付けられなかった場合（例えば入力ミスをした場合や第３者が適当に入力した場合など）には、ステップＳ２に戻り、表示部１０の表示も図３（Ａ）の状態、つまり器具別積算値表示状態に戻る。なお、このとき表示対象の器具は上記特定ガス器具であっても上記所定の器具であってもよい。また、ステップＳ８でＮＯの場合には、ステップＳ２へ戻らず、ステップＳ１０へ進んでもよい。
【００３４】
ステップＳ８における正しい追加操作か否かの判定は、制御部１５が、追加操作として入力された結果と、記憶部１６に記憶された第３の所定操作パターンとを照合し、照合結果を一致か不一致かを判定することで行う。なお、図４では処理を簡略化して示しているが、実際には、このような照合を、使用者の追加操作の一つがなされる度に実行し、不一致無く照合が完了するまでに所定時間が経過していないか経過してしまったかにより、ステップＳ８の判定を行うとよい。なお、ステップＳ８による判定について述べた照合の方法は、ステップＳ６の判定についても同様に適用でき、ステップＳ６において所定時間経過してＮＯとなった場合にはステップＳ２へ戻るか或いは上述したように後述のステップＳ１０へ進むとよい。
【００３５】
ステップＳ８で第３の所定操作パターンが正確に所定時間内に入力された場合（ＹＥＳの場合）には、リセットが必要であると判定して（リセットが必要であることが確認できたとして）、目的としている処理である現在表示中の器具別積算値のリセット処理を実行する（ステップＳ９）。次いで、ステップＳ３で実行した無効化を解除し（ステップＳ１０）、処理を終了する。また、ステップＳ９の処理時、リセットが正常に行われたことが分かるような表示を通常の状態と区別が付くように行うことが好ましく、例えばサブカウンタ部１０ｂの点滅を点灯に切り替わるようにするなどすればよい。
【００３６】
また、図４の流れを説明する前に簡単に説明したが、ステップＳ９では、検針員が、表示切替を行ってその器具別積算値を表示して紙に書き取りリセットする、といった作業を各器具別積算値に対して繰り返すことを前提に、現在表示中の器具別積算値のみをリセットした。しかし、検針員が、表示切替により順に各器具別積算値を表示していきながら紙に書き取り最後にリセットするといった作業を行う場合に対応させるため、ステップＳ９では、無効化されてから表示した全ての器具別積算値をリセットしてもよい。また、いずれのリセットを実行するかをステップＳ６のリセット操作の違いにより選択できるようにしておいてもよい。
【００３７】
以上の流れにより、累積された器具別積算値がリセットされ、次月分の器具別積算値が積算される。
【００３８】
ここで、上述したステップＳ７での追加操作の要求について詳細に説明する。この要求は、器具別積算値のリセットを本当に実行してよいかを再度確認するリセット実行前の確認要求の一例であり、ステップＳ８で正しい追加操作が入力されたことをもって確認できたと判定する。この再確認は、上述のリセット実行手段によってなされる。より具体的には、リセット実行手段が、複数のスイッチ１１〜１３による追加操作を表示部１０での表示により要求し、要求した追加操作を受け付け、受け付けた追加操作が第３の所定操作パターンであるか否かを判定し、第３の所定操作パターンであった場合にリセットが必要であると判定することで実行する。ここで、第３の所定操作パターンとは、順序が規定された複数のスイッチ１１〜１３による一連の操作とすることが好ましく、第２の所定操作とは異なる操作である。この第３の所定操作パターンも、第２の所定操作と同様に、例えばスイッチの押し時間、押す回数、同時押しの組合わせなどによって特定される操作である。このように、リセット実行前確認にて第３の所定操作パターンを入力するので、いたずらや誤操作によるリセットを防止することができる。
【００３９】
また、上述の第２，第３の所定操作パターンの一方又は双方は、ガスメータ１で登録可能にしておくことが好ましい。つまり、登録操作によりこれらのパターンを検針員が自由に設定し、記憶部１６に記憶できるような構成にしておくことが好ましい。この登録操作は、電文設定器等で行ってもよいが、設けられたスイッチ１１〜１３を用いて行うことが好ましい。これにより、スイッチ１１〜１３のみで、例えば、一方の所定操作パターンを、スイッチ１１→スイッチ１２→スイッチ１３や、スイッチ１１，１２の同時押し→スイッチ１３などと、自由に登録できる。
【００４０】
また、押す時間も第２，第３の所定操作パターンを特定する一要素としてよいことを説明したが、押す時間を登録する際には、例えば長押しか短押しかの区分けを採用してもよい。例えば、登録時にスイッチ１１を０.４秒押されている場合には０.５秒未満として‘０’を登録し、０.８秒押されている場合には０.５秒以上として‘１’を登録するとよい。これにより、前者の場合にはスイッチ１１が０.５秒未満で押されればその入力は正しいと認識し、後者の場合にはスイッチ１１が０.５秒以上押されればその入力は正しいと認識することができる。また、登録時や第２，第３の所定操作パターン入力時に、検針員が自分で何秒押したか分からない場合があるため、表示部１０の所定の位置に何秒押したかが分かるようにしてもよい。
【００４１】
このように、第２，第３の所定操作パターンの一方又は双方をガスメータ１で登録可能にしておくことにより、ガスメータ個々に器具別積算値リセットに必要な操作手順を異ならせることができ、検針員のみがそれを把握し、第３者に見破られる可能性が減り、第３者によるいたずらや誤操作によりそのリセット処理が実行されてしまうことを防止することができる。さらに、一台のガスメータ１で見破られても、同種の他のガスメータへの被害の拡大を防ぐことができる。
【００４２】
以上、本発明について様々な例を説明したが、ここで説明したようなリセット方法は、器具別積算値だけでなく全体の積算値等の他の積算値にも適用できる。その場合、対象の積算値を表示できた段階でスイッチ本来の処理を無効化し、表示切替操作かリセット操作を受け付けて、リセット操作がなされたときに、リセットを実行すればよい（或いは確認後、リセットを実行すればよい）。
【図面の簡単な説明】
【００４３】
【図１】本発明のガスメータの一構成例を示す図である。
【図２】図１のガスメータの本体表面の概略を示す図である。
【図３】図１及び図２で示したガスメータの表示部での器具別積算値の表示例を示す図である。
【図４】図１及び図２で示したガスメータにおける器具別積算値リセット処理の一例を説明するためのフロー図である。
【符号の説明】
【００４４】
１…ガスメータ、１０…表示部、１０ａ…アルファベット表示部、１０ｂ…積算値表示部、１１…スイッチI、１２…スイッチII、１３…スイッチIII、１４…検出部、１５…制御部、１６…記憶部。
【図１】
2009229111.tif 000003
【図２】
2009229111.tif 000004
【図３】
2009229111.tif 000005
【図４】
2009229111.tif 000006